(57)【要約】【課題】  本発明は魚釣用リールに関し、指先保護部材と側板の接合部への糸噛みによる釣糸への傷や糸切れを効果的に防止する魚釣用リールを提供することを目的とする。【解決手段】  リール本体の左右の側板間に回転自在に支持されたスプールと、当該スプールに釣糸を平行巻きするレベルワインド機構と、レベルワインド機構の前方の左右の側板間に挟着され、釣糸挿通用開口部が開口する指先保護部材を備えた魚釣用リールに於て、上記指先保護部材の前記両側板と接合する左右両端部の外表面を中央部より隆起させて、指先保護部材の中央部の外表面を凹状に形成したことを特徴とする。そして、請求項２に係る発明は、請求項１に記載の魚釣用リールに於て、釣糸挿通用開口部より竿先側の指先保護部材を、竿先方向に向けて順次幅狭に形成し、指先保護部材の前方側端部を、左右の側板の前方側下端位置まで延設したことを特徴とする。【選択図】    図１
2005110501.tif 000002
【特許請求の範囲】
【請求項１】
リール本体の左右の側板間に回転自在に支持されたスプールと、
当該スプールに釣糸を平行巻きするレベルワインド機構と、
レベルワインド機構の前方の左右の側板間に挟着され、釣糸挿通用開口部が開口する指先保護部材を備えた魚釣用リールに於て、
上記指先保護部材の前記両側板と接合する左右両端部の外表面を中央部より隆起させて、指先保護部材の中央部の外表面を凹状に形成したことを特徴とする魚釣用リール。
【請求項２】
釣糸挿通用開口部より竿先側の指先保護部材を、竿先方向に向けて順次幅狭に形成し、指先保護部材の前方側端部を、左右の側板の前方側下端位置まで延設したことを特徴とする請求項１に記載の魚釣用リール。
【請求項３】
スプール前方のレベルワインド機構の下方の側板間に筒状のモータ収納部を形成し、当該モータ収納部内にスプール駆動モータを収納すると共に、当該モータ収納部の上面から前面に亘って、表面に金属メッキを施した指先保護部材を近接配置したことを特徴とする請求項１または請求項２に記載の魚釣用リール。
【発明の詳細な説明】
【技術分野】
【０００１】
本発明は、レベルワインド機構に対して指先保護を図る指先保護部材をリール本体に装着した魚釣用リールに関する。
【背景技術】
【０００２】
特許文献１に開示されるように、従来、両軸受型リールや電動リール等の魚釣用リールには、スプールに釣糸を平行巻きするレベルワインド機構がリール本体に組み込まれ、また、釣糸の巻取り時に左右方向に往復動するレベルワインド機構の摺動子とリール本体のフレームとの間に指を挟んでしまうことがないように、指先を保護する指先保護部材がレベルワインド機構の前側（釣糸繰出し方向側）に装着されている。
【０００３】
そして、この種の指先保護部材は金属製と樹脂製のものがあるが、金属製のものに比し加工が容易で軽量であることから、今日では樹脂製の指先保護部材が広く使用されており、その表面には装飾用の塗装が施されている。
しかし、樹脂で成形されていた従来の指先保護部材は、長期に亘る使用でその表面に糸傷が付いてしまう不具合があった。
【０００４】
特に、最近の釣糸はナイロン糸に比し張り強度が強く、また、柔軟性が高く、且つ糸自体が細い縒り糸のＰＥラインが広く使用され、而も、仕掛けを繰り出している時には、釣糸が指先保護部材の表面の一カ所で接することもあって、樹脂製の指先保護部材の表面が削れて糸傷が付いてしまうのが実情であり、斯様に指先保護部材の表面に糸傷が付いてしまうと見栄えが悪く、また、指先保護部材の糸傷が釣糸を傷付けて糸切れ等のライントラブルが発生してしまう虞があった。
【０００５】
また、特許文献１の魚釣用リールは、スプール駆動モータ（以下、「モータ」という）を収納するモータケース（モータ収納部）をスプール前方のリール本体に設けると共に、当該モータケースを覆って指先保護部材をリール本体に開閉可能に取り付けることでモータの放熱効果を高めているが、夏場の釣りや大物が掛かってモータに高負荷が斯かる場合のようにモータ発熱量が多い時に、斯かる構成では十分にモータを冷却することが難しく、モータを効率よく駆動するために更なる改良を加える必要があった。
【０００６】
そこで、斯かる不具合を解決するため、出願人は、先に特許文献２に於て、図６に示すように樹脂製の指先保護部材１の表面に金属メッキを施して、これをスプール３前方に配置したモータ５の上方側の一部を覆うようにリール本体７に取り付けた魚釣用リール９を開示した。
図６及び図７に示すように指先保護部材１は、レベルワインド機構１１の釣糸案内部１３を介してスプール３から釣糸を繰り出したり、釣糸をスプール３に巻回させることができるように釣糸挿通用開口部１５がスプール３の軸方向に設けられると共に、その全体形状は、釣糸挿通用開口部１５から釣竿側のガイドに向かって釣糸が通過する範囲に合わせて、釣糸挿通用開口部１５より竿先側を順次幅が狭くなるように形成されている。
【０００７】
そして、指先保護部材１は、リール本体７の左右の側板１７，１９で挟持されると共に、リール本体７の上部に取り付く制御ボックス２１と、指先保護部材１の前側下方へ延設された側板１７，１９の延設部２３，２５で保持されて、モータ５の上方側の一部を覆うようにリール本体７に取り付けられている。そして、図８に示すように表面に金属メッキ処理を施して所定の厚さの金属膜２７を形成することで、指先保護部材１表面の糸傷等の損傷を防止すると共に、指先保護部材１によるモータ発熱の効果的な発散を図っている。
【特許文献１】登録実用新案第２５７８５３８号公報
【特許文献２】特開２００１−１７０４０号公報
【発明の開示】
【発明が解決しようとする課題】
【０００８】
而して、上記魚釣用リール９によれば、指先保護部材１を竿先側へ向けて順次幅狭な形状とした結果、図６に示すように指先保護部材１と左右の側板１７，１９との接合部Ａがリール本体７の前方へ向かって斜め方向に区画形成されるが、この従来例では、指先保護部材１と側板１７，１９との接合部Ａ近傍が段差のない面一な構造となっていた。
このため、釣糸に張力が掛かっている場合に不具合は生じないが、シャクリ操作時の如く釣糸に張力が作用しなくなる状態となり易い場合には、指先保護部材１の外側まで糸フケが生じて側板１７，１９の表面に糸傷が付いてしまう虞があった。
【０００９】
また、既述した細糸のＰＥラインを使用すると、上記接合部Ａに釣糸が入り込んで糸切れ等のトラブルが発生してしまう虞があり、更なる改善が必要とされている。
更にまた、上記従来例は、図６に示すように左右の側板１７，１９の延設部２３，２５が指先保護部材の下方で合わさる構造となっているが、指先保護部材１と左右の側板１７，１９との接合部Ａに隙間を生じさせないようにするため、延設部２３，２５間にクリアランスＢを形成する必要がある。
【００１０】
しかし、近年のロープロファイル化の影響で指先保護部材１の高さ寸法が従来に比し減少した結果、上記クリアランスＢに糸噛みが発生してしまう虞があり、斯かる不具合に対する改善策も望まれていた。
本発明は斯かる実情に鑑み案出されたもので、上述の如き従来の不具合を解決した魚釣用リールを提供することを目的とする。
【課題を解決するための手段】
【００１１】
斯かる目的を達成するため、請求項１に係る発明は、リール本体の左右の側板間に回転自在に支持されたスプールと、当該スプールに釣糸を平行巻きするレベルワインド機構と、レベルワインド機構の前方の左右の側板間に挟着され、釣糸挿通用開口部が開口する指先保護部材を備えた魚釣用リールに於て、上記指先保護部材の前記両側板と接合する左右両端部の外表面を中央部より隆起させて、指先保護部材の中央部の外表面を凹状に形成したことを特徴とする。
【００１２】
そして、請求項２に係る発明は、請求項１に記載の魚釣用リールに於て、釣糸挿通用開口部より竿先側の指先保護部材を、竿先方向に向けて順次幅狭に形成し、指先保護部材の前方側端部を、左右の側板の前方側下端位置まで延設したことを特徴とし、請求項３に係る発明は、請求項１または請求項２に記載の魚釣用リールに於て、スプール前方のレベルワインド機構の下方の側板間に筒状のモータ収納部を形成し、当該モータ収納部内にスプール駆動モータを収納すると共に、当該モータ収納部の上面から前面に亘って、表面に金属メッキを施した指先保護部材を近接配置したことを特徴とする。
【発明の効果】
【００１３】
請求項１に係る発明によれば、指先保護部材の両端部を隆起させて中央部を凹状とすることで、釣糸に張力が掛からない状態でも、常時釣糸が指先保護部材の隆起部分の内側の凹状の中央部で案内され、左右の側板と指先保護部材との接合部分に釣糸が侵入し難くなるので、接合部への糸噛みによる釣糸への傷や糸切れを効果的に防ぐことが可能である。
そして、請求項２に係る発明によれば、指先保護部材を竿先方向へ徐々に幅狭とすることで、釣竿に取り付けられたガイドへ釣糸を確実に案内して糸フケを生じ難くすると共に、指先保護部材の前側端部を側板の前方側下端位置まで延設することで、釣糸の案内される領域から側板同士の接合部がなくなり、この結果、接合部への糸噛み防止効果が更に高まり、糸切れを更に効果的に防ぐことができる。
【００１４】
而も、斯様に側板同士の接合部をなくした結果、左右の側板と指先保護部材との間の寸法管理のみで、製品外観に隙間を生じさせずに容易に精度よくリールを設計することができることとなった。
また、請求項３に係る発明によれば、前述の如く指先保護部材の前方側端部を左右の側板の前方側下端位置まで延設したことで熱を発散させる範囲が広がり、この結果、夏場の釣りや、大物が掛かってモータに高負荷が掛かったようなモータ発熱が多い時でも、リール本体内部のモータ周辺に熱を籠もらせることなく十分にモータを冷却することが可能となって、更に効率よくモータを駆動させることができる。
【発明を実施するための最良の形態】
【００１５】
以下、本発明の実施形態を図面に基づいて詳細に説明する。
図１及び図２は請求項１乃至請求項３に係る発明を魚釣用電動リールに適用した一実施形態を示し、図中、３１はリール本体３３のフレーム、３５，３７は当該フレーム３１の左右に取り付く側板で、両側板３５，３７間にスプール軸３９を介してスプール４１が回転自在に支持されている。
【００１６】
スプール４１は、モータ４３の駆動やハンドル４５の巻取り操作で回転して釣糸４７が巻回されるようになっており、図２に示すようにモータ４３は、スプール４１前方のフレーム３１（左右の側板３５，３７間）に一体成形された筒状のモータケース（モータ収納部）４９内に収納されている。
そして、ハンドル側側板３７の上部前方には、特許第２９７７９７８号公報で開示された魚釣用リールと同様、モータ４３のモータ出力を増減してスプール４１の回転速度（釣糸４７の巻取り速度）を調節するパワーレバー（モータ出力調節体）５１が、ハンドル４５の回転方向と同方向へ操作可能に取り付けられており、パワーレバー５１は側板３７に内蔵されたポテンショメータ（図示せず）に連結されている。そして、側板３５に一体成形された制御ボックス５３に内蔵された制御手段（図示せず）は、パワーレバー５１の操作量に応じモータ４３への電流通電時間率を可変制御して、モータ出力をモータ停止状態から最大値（０〜１００％）まで連続的に駆動制御するようになっている。
【００１７】
また、側板３７の上部後方には、リール本体３３内に装着した図示しないクラッチ機構のクラッチレバー５５が装着されており、当該クラッチレバー５５の操作でクラッチ機構がＯＮ／ＯＦＦに切り換わって、スプール４１へのモータ４３やハンドル４５の駆動力が伝達／遮断されるようになっている。
更にまた、図２に示すようにリール本体３３内には、スプール４１より前側（竿先側）で、モータ４３よりも上方側に、スプール４１に釣糸４７を平行巻きするレベルワインド機構５７が装着されている。
【００１８】
レベルワインド機構５７は、スプール軸３９（スプール４１）と平行に配置されたトラバースカム軸５９と、当該トラバースカム軸５９の外周に刻設されたカム溝（図示せず）に噛合し、トラバースカム軸５９の回転に連動してその軸方向へ往復動する摺動子６１とからなり、摺動子６１の下端部に釣糸案内部６３が形成され、図１に示すように釣糸案内部６３に釣糸４７を挿通案内する釣糸案内孔６５が設けられている。そして、トラバースカム軸５９は、複数の中間歯車６７，６９を介してスプール軸３９に連結されている。
【００１９】
そして、上記レベルワインド機構５７を覆うように指先保護部材７１が側板３５，３７間に挟着されている。
指先保護部材７１は樹脂材料で成形され、レベルワインド機構５７の釣糸案内孔６５を介してスプール４１から釣糸４７を繰り出したり、釣糸４７をスプール４１に巻き取ることができるように釣糸挿通用開口部７３がスプール４１の軸方向に設けられている。
【００２０】
尚、指先保護部材７１を成形する樹脂材料としては、例えばＡＢＳ，ポリカーボネートが混入したＡＢＳ，ＡＢＳにガラス繊維を混入した繊維強化樹脂，ポリカーボネート入りのＡＢＳが混入した繊維強化樹脂等の樹脂材料が使用される。
そして、図１及び図４に示すように指先保護部材７１は、釣糸挿通用開口部７３より竿先側が竿先方向に向けて順次幅狭に形成され、これに伴い指先保護部材７１の左右の両端部に接合する側板３５，３７側も、指先保護部材７１の形状に沿って形成されている。そして、図１に示すように指先保護部材７１の前方側端部７５は、左右の側板３５，３７の前方側下端７７，７９位置まで延設されると共に、図２の如く前記モータケース４９の上面から前面に亘って指先保護部材７１が、モータケース４９の外周と一部が接触して近接配置されている。
【００２１】
更に、図１乃至図５に示すように指先保護部材７１の両端部には、釣糸挿通用開口部７３より竿先側がその中央部８１より外方へ隆起（突出）して凸部８３，８５が設けられており、図５に示すように凸部８３，８５は、これに接合する側板３５，３７と面一とされている。この結果、指先保護部材７１の中央部８１の外表面は、両凸部８３，８５に比し凹状に形成されている。
【００２２】
尚、図５に示すように本実施形態は、指先保護部材７１の両端部を略く字状に折曲させて外方へ隆起する凸部８３，８５を設けたが、指先保護部材７１の両端部を厚肉に成形して外方へ隆起する凸部を設けてもよく、更に、指先保護部材７１の両端部を側板３５，３７の外方へ隆起する凸部としてもよい。
そして、指先保護部材７１表面の耐久性を向上させると共に、モータ冷却性能の向上を図る目的で、指先保護部材７１の表面に金属メッキが施されている。
【００２３】
金属メッキ処理としては、電気メッキ処理や化学メッキ処理を用いることが可能で、このような金属メッキ処理により指先保護部材７１の表面に形成する金属膜の厚さは、１０μｍ〜５０μｍ程度の範囲に設定することが好ましい。また、金属メッキ処理に用いる金属としては、例えばＮｉ，Ｃｕ，Ｃｒ，Ａｕ等の金属材料を用いることが可能である。
その他、図３中、８６は指先保護部材７１の上部に形成された係合凹部、８７は指先保護部材７１の下部に形成された係合凹部で、指先保護部材７１の取付けに当たり、各係合凹部８６，８７に、制御ボックス５３の底部に突設した係合突起８９とフレーム３１側に突設した係合突起９１が、夫々、係合するようになっている。
【００２４】
本実施形態に係る魚釣用電動リール９３はこのように構成されており、指先保護部材７１の取付けは、指先保護部材７１を両端部側から左右の側板３５，３７で挟持して位置決めし乍ら、係合凹部８６，８７に係合突起８９，９１を夫々係合させればよい。
そして、指先保護部材７１の表面に施された金属膜が釣糸４７による糸傷を防ぐと共に、モータ駆動時の発熱量が多い状態（例えば、高温の魚釣環境下やモータ４１に高負荷が掛かったとき等）でも、モータ４１からの発熱が金属膜を介して大気に発散されて、モータ４１の冷却が図られる。
【００２５】
また、釣糸放出時の如く釣糸４７に張力が作用しない状態でも、図５に示すように常に指先保護部材７１の凸部８３，８５が釣竿側のガイドへの糸道を制御し、釣糸４７を常に凹状の中央部８１に案内して側板３５，３７への糸フケを防止する。
従って、本実施形態によれば、図６の従来例に比し指先保護部材７１と側板３５，３７との接合部に釣糸４７が侵入し難くなるため、斯かる接合部への糸噛みによる釣糸４７の傷や糸切れ等のライントラブルを効果的に防ぐことが可能である。
【００２６】
また、既述したように本実施形態は、指先保護部材７１の前方側端部７５を、左右の側板３５，３７の前方側下端７７，７９位置まで延設して、ガイドに案内される範囲内から従来の如き側板同士の接合部をなくしたため、従来に比し接合部への糸噛み防止効果が更に高まり、糸切れを更に効果的に防ぐことができる。
而も、斯様に側板同士の接合部をなくした結果、左右の側板３５，３７と指先保護部材７１との間の寸法管理のみで、製品外観に隙間を生じさせずに容易に精度よくリールを設計することができることとなった。
【００２７】
更にまた、本実施形態は、前述の如く指先保護部材７１の前方側端部７５を左右の側板３５，３７の前方側下端７７，７９位置まで延設したことで、図６の指先保護部材１に比し熱を発散させる範囲が広がり、この結果、夏場の釣りや、大物が掛かってモータ４３に高負荷が掛かったようなモータ発熱が多い時でも、リール本体３３内部のモータ４３の周辺に熱を籠もらせることなく十分にモータ４３を冷却することが可能となって、更に効率よくモータ４３を駆動させることが可能である。
【００２８】
加えて、既述したように本実施形態は、左右の側板３５，３７で指先保護部材７１を位置決めし乍ら、係合凹部８６，８７に係合突起８９，９１を係合させて指先保護部材７１をリール本体３３に取付可能としたため、指先保護部材７１を固定するその他の固定部材が不要となって部品点数の削減が可能となり、更なる軽量化が図れる利点を有する。
尚、上記実施形態は、魚釣用電動リールに本発明を適用したが、モータを装着しない両軸受型リール等に適用できることは勿論である。
【図面の簡単な説明】
【００２９】
【図１】請求項１乃至請求項３の一実施形態に係る魚釣用電動リールの正面図である。
【図２】図１に示す魚釣用電動リールの断面図である。
【図３】指先保護部材の断面図である。
【図４】指先保護部材の正面図である。
【図５】指先保護部材の断面図である。
【図６】従来の指先保護部材を装着した魚釣用リールの正面図である。
【図７】従来の指先保護部材の正面図である。
【図８】図７のVIII−VIII線断面図である。
【符号の説明】
【００３０】
３１  フレーム
３３  リール本体
３５，３７  側板
３９  スプール軸
４１  スプール
４３  モータ
４５  ハンドル
４７  釣糸
４９  モータケース
５７  レベルワインド機構
６３  釣糸案内部
６５  釣糸案内孔
７１  指先保護部材
７３  釣糸挿通用開口部
７５  前方側端部
７７，７９  前方側下端
８１  中央部
８３，８５  凸部
８６，８７  係合凹部
８９，９１  係合突起
９３  魚釣用電動リール
【図１】
2005110501.tif 000003
【図２】
2005110501.tif 000004
【図３】
2005110501.tif 000005
【図４】
2005110501.tif 000006
【図５】
2005110501.tif 000007
【図６】
2005110501.tif 000008
【図７】
2005110501.tif 000009
【図８】
2005110501.tif 000010